(57)【特許請求の範囲】
【請求項１】
貯湯タンクと、
前記貯湯タンクを少なくとも部分的に覆う断熱材と、
第一配線と、第二配線と、前記第一配線と前記第二配線とを接続するコネクタとを有する配線部と、
を備え、
前記配線部は、少なくとも部分的に、前記断熱材に固定され、
前記第二配線は、制御基板に設置されたソケットと前記コネクタとの間をつなぎ、
前記第二配線は、前記コネクタから、鉛直方向についての位置が前記コネクタより低い低位置へ向かって延びる第一下降部と、前記ソケットから前記低位置へ向かって下降する第二下降部とを有する貯湯式給湯機。
【請求項２】
前記断熱材は、前記コネクタを保持するコネクタ保持部を備える請求項１に記載の貯湯式給湯機。
【請求項３】
前記断熱材は、前記第一配線及び前記第二配線の少なくとも一方を、少なくとも部分的に保持する配線保持部を備える請求項１または請求項２に記載の貯湯式給湯機。
【請求項４】
前記断熱材は、前記コネクタの上方の空間へ突出する庇部を備える請求項１から請求項３のいずれか一項に記載の貯湯式給湯機。
【請求項５】
前記断熱材は、前記コネクタ、前記第一配線及び前記第二配線のうちの少なくとも一つを少なくとも部分的に収納する凹部を有する請求項１から請求項４のいずれか一項に記載の貯湯式給湯機。
【請求項６】
前記コネクタを外側から覆う蓋体が前記断熱材に取り付けられている請求項１から請求項５のいずれか一項に記載の貯湯式給湯機。
【発明の詳細な説明】
【技術分野】
【０００１】
本発明は、貯湯式給湯機に関する。
【背景技術】
【０００２】
下記特許文献１に開示された従来の貯湯式給湯機では、貯湯タンク（５）の側面に、上下方向に伸びる収納溝（１７）にリード線（１４）を収納することが可能な断熱材を設けている。
【先行技術文献】
【特許文献】
【０００３】
【特許文献１】特開２００８−１０７０２４号公報
【発明の概要】
【発明が解決しようとする課題】
【０００４】
配線が途中でコネクタで接続される場合がある。特許文献１の技術では、給湯機の内部で万一の水漏れが発生した際に、その水がリード線（１４）を伝ってコネクタにかかってしまう。
【０００５】
本発明は、上述のような課題を解決するためになされたもので、給湯機内部で万一の水漏れが発生した際でも、配線を伝ってコネクタに水がかかることを確実に防止できる貯湯式給湯機を提供することを目的とする。
【課題を解決するための手段】
【０００６】
本発明に係る貯湯式給湯機は、貯湯タンクと、貯湯タンクを少なくとも部分的に覆う断熱材と、第一配線と、第二配線と、第一配線と第二配線とを接続するコネクタとを有する配線部と、を備え、配線部は、少なくとも部分的に、断熱材に固定され、第二配線は、制御基板に設置されたソケットとコネクタとの間をつなぎ、第二配線は、コネクタから、鉛直方向についての位置がコネクタより低い低位置へ向かって延びる第一下降部と、ソケットから低位置へ向かって下降する第二下降部とを有するものである。
【発明の効果】
【０００７】
本発明によれば、給湯機内部で万一の水漏れが発生した際でも、配線を伝ってコネクタに水がかかることを確実に防止することが可能となる。
【図面の簡単な説明】
【０００８】
【図１】実施の形態１の貯湯式給湯機を示す正面図である。
【図２】実施の形態１の貯湯式給湯機が備える配線部を示す図である。
【図３】図２中のＡ−Ａ線断面図である。
【図４】図２中のＢ−Ｂ線断面図である。
【図５】実施の形態１の貯湯式給湯機が備える他の配線部を示す図である。
【図６】図５中のＣ−Ｃ線断面図である。
【図７】実施の形態２の貯湯式給湯機を示す正面図である。
【図８】実施の形態２の貯湯式給湯機が備える配線部を示す図である。
【図９】図８中のＤ−Ｄ線断面図である。
【図１０】図８中のＥ−Ｅ線断面図である。
【図１１】実施の形態２の変形例を説明するための断面図である。
【発明を実施するための形態】
【０００９】
以下、図面を参照して実施の形態について説明する。各図において共通する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１の貯湯式給湯機を示す正面図である。図１に示すように、実施の形態１の貯湯式給湯機１は、ケース９及び複数の脚１０を備える。貯湯式給湯機１は、ケース９の内部に配置された貯湯タンク２、断熱材３、機能部品４、配管５、制御基板６、配線７，１７、コネクタ８，１８、及びサーミスタ１６を備える。貯湯タンク２及びケース９は、複数の脚１０を介して、土台または床面に固定される。図１は、ケース９の正面の壁を透視した透視図である。
【００１１】
断熱材３は、貯湯タンク２の外面を少なくとも部分的に覆う。断熱材３は、発泡プラスチックで成形されたものでもよい。当該発泡プラスチックは、発泡ポリスチレンでもよい。断熱材３は、真空断熱材でもよい。湯水は、配管５を通って貯湯タンク２に出入りする。
【００１２】
機能部品４は、例えば、アクチュエータまたはセンサである。機能部品４は、バルブ、ポンプ、温度センサ、流量センサのうちの少なくとも一つでもよい。機能部品４は、配管５の途中に設置されていてもよい。サーミスタ１６は、貯湯タンク２の表面に取り付けられている。サーミスタ１６は、貯湯タンク２内の湯の温度を測定する温度センサの例である。ケース９の内部には、機能部品４及びサーミスタ１６以外の機能部品（図示省略）がさらに備えられてもよい。
【００１３】
貯湯式給湯機１は、貯湯タンク２の水を加熱する加熱装置を備える。加熱装置は、いかなる構成のものでもよい。加熱装置は、ケース９の外部に設置されてもよいし、ケース９の内部に設置されてもよい。加熱装置は、例えば、ヒートポンプ式加熱装置でもよいし、貯湯タンク２内に設置される電気ヒータでもよい。加熱装置は、本発明の特徴部分ではないため、本明細書では図示及び詳細な説明を省略する。
【００１４】
制御基板６は、貯湯式給湯機１を動作を制御する制御装置を構成する。機能部品４と制御基板６との間は、配線７を介して接続されている。配線７は、機能部品４と制御基板６との間で、電力及び電気信号の少なくとも一方を伝達する。サーミスタ１６と制御基板６との間は、配線１７を介して接続されている。配線１７は、サーミスタ１６と制御基板６との間で、電力及び電気信号の少なくとも一方を伝達する。
【００１５】
コネクタ８は、配線７の途中の部分を着脱可能に電気的に接続する。配線７がコネクタ８の位置で分離可能であることで、貯湯式給湯機１の製造組立が容易になる。配線７は、第一配線７ａ及び第二配線７ｂを備える。第一配線７ａは、機能部品４とコネクタ８との間をつなぐ。第二配線７ｂは、制御基板６とコネクタ８との間をつなぐ。
【００１６】
第一配線７ａ、第二配線７ｂ、及びコネクタ８を備えた配線部は、少なくとも部分的に、断熱材３に固定されている。断熱材３は、電気絶縁性を有する。配線部を断熱材３に固定することで、配線７あるいはコネクタ８の金属部分を覆う絶縁体が劣化または破損した場合であっても、漏電の発生を確実に抑制できる。
【００１７】
鉛直方向の位置に関して、機能部品４は、コネクタ８の位置より高い位置にある。鉛直方向の位置に関して、機能部品４は、制御基板６の位置より高い位置にある。
【００１８】
第一配線７ａは、下降部７ｃを備える。下降部７ｃは、コネクタ８から低位置７ｄへ向かって延びる。低位置７ｄは、鉛直方向についての位置がコネクタ８より低い位置である。下降部７ｃは、コネクタ８側から低位置７ｄへ向かって下降する。第一配線７ａにおいて、コネクタ８と下降部７ｃとの間の短い部分が水平方向に延びてもよい。
【００１９】
第二配線７ｂは、下降部７ｅを備える。下降部７ｅは、コネクタ８から低位置７ｆへ向かって延びる。低位置７ｆは、鉛直方向についての位置がコネクタ８より低い位置である。下降部７ｅは、コネクタ８側から低位置７ｆへ向かって下降する。第二配線７ｂにおいて、コネクタ８と下降部７ｅとの間の短い部分が水平方向に延びてもよい。低位置７ｄ，７ｆは、鉛直方向についての位置が、コネクタ８の下端に対して、例えば、３ｃｍ以上低い位置でもよいし、５ｃｍ以上低い位置でもよいし、１０ｃｍ以上低い位置でもよい。
【００２０】
貯湯式給湯機１の内部で、万一の水漏れが発生した場合を考える。例えば、配管５の接続部分から水が漏れる可能性がある。漏れた水が配線７にかかり、水が配線７を伝う可能性がある。水が配線７を伝ったとしても、低位置７ｄ，７ｆからコネクタ８へ向かって水が伝うことはない。下降部７ｃ，７ｅに水が付着したとしても、その水は、コネクタ８側から低位置７ｄ，７ｆへ向かう方向に流れる。本実施の形態であれば、下降部７ｃ，７ｅを備えたことで、配線７を伝った水がコネクタ８にかかることを確実に防止できる。
【００２１】
第一配線７ａは、下降部７ｇを備える。下降部７ｇは、機能部品４から低位置７ｄへ向かって下降する。下降部７ｇは、機能部品４と低位置７ｄとの間をつなぐ。漏水が配線７を伝ったとしても、低位置７ｄから機能部品４へ向かって水が伝うことはない。下降部７ｇに水が付着したとしても、その水は、機能部品４側から低位置７ｄへ向かう方向に流れる。本実施の形態であれば、下降部７ｇを備えたことで、配線７を伝った水が機能部品４にかかることを確実に防止できる。
【００２２】
第二配線７ｂは、下降部７ｈを備える。下降部７ｈは、制御基板６に設置されたソケット６ａから低位置７ｆへ向かって下降する。下降部７ｈは、ソケット６ａと低位置７ｆとの間をつなぐ。漏水が配線７を伝ったとしても、低位置７ｆからソケット６ａへ向かって水が伝うことはない。下降部７ｈに水が付着したとしても、その水は、ソケット６ａ側から低位置７ｆへ向かう方向に流れる。本実施の形態であれば、下降部７ｈを備えたことで、配線７を伝った水が制御基板６のソケット６ａにかかることを確実に防止できる。
【００２３】
図２は、実施の形態１の貯湯式給湯機１が備える配線部を示す図である。図２は、図１の一部を拡大した図に相当する。図３は、図２中のＡ−Ａ線断面図である。図４は、図２中のＢ−Ｂ線断面図である。なお、図面上では、貯湯タンク２の表面と断熱材３との間に微小な隙間があるが、このような構成に限らず、貯湯タンク２の表面に断熱材３が密着していてもよい。
【００２４】
これらの図に示すように、断熱材３は、コネクタ保持部１１及び配線保持部１２を備える。コネクタ保持部１１は、コネクタ８を少なくとも部分的に収納する凹部を備える。図面上では、コネクタ保持部１１の凹部内でコネクタ８が動きうる遊びがあるが、コネクタ保持部１１の凹部に対してコネクタ８が遊び無く挿入してもよい。本実施の形態であれば、コネクタ保持部１１を備えたことで、以下の効果が得られる。コネクタ８の位置をより確実に維持できる。貯湯式給湯機１の製造組立のときにコネクタ８を適正な位置に容易に位置決めできる。コネクタ８を断熱材３に固定するための粘着テープ等の部材を削減できる。コネクタ保持部１１の凹部にコネクタ８が収納されることで、万一の漏水の際に、コネクタ８に水が降りかかることをより確実に抑制できる。
【００２５】
断熱材３は、第一配線７ａを低位置７ｄの近くで保持する配線保持部１２と、第二配線７ｂを低位置７ｆの近くで保持する配線保持部１２とを備える。配線保持部１２の各々は、同じ構造である。配線保持部１２の各々は、一対の突出部を備え、当該突出部同士の間に配線７を挟むことで配線７を保持する。本実施の形態であれば、配線保持部１２を備えたことで、以下の効果が得られる。配線７の位置をより確実に維持できる。貯湯式給湯機１の製造組立のときに配線７を適正な位置に容易に位置決めできる。配線７を断熱材３に固定するための粘着テープ等の部材を削減できる。
【００２６】
コネクタ保持部１１を備えず、粘着テープ等を用いてコネクタ８を断熱材３に直接固定してもよい。配線保持部１２を備えず、粘着テープ等を用いて配線７を断熱材３に直接固定してもよい。コネクタ８と配線７との少なくとも一方が断熱材３に固定されればよい。
【００２７】
断熱材３は、コネクタ８の上方の空間へ突出する庇部１３を備える。本実施の形態であれば、庇部１３を備えたことで、万一の漏水の際に、コネクタ８に水が降りかかることをより確実に抑制できる。
【００２８】
本実施の形態では、図２に示すように、庇部１３は、少なくとも、コネクタ８の下端に接する仮想の水平面９０と、下降部７ｃ，７ｅとが交わる位置９１，９２の鉛直上方の位置９３，９４まで延びている。これにより、万一の漏水の際に、コネクタ８に鉛直方向の上側から流れてくる水が配線７を伝ってコネクタ８にかかることをより確実に防止できる。
【００２９】
図５は、実施の形態１の貯湯式給湯機１が備える他の配線部を示す図である。図５は、図１の一部を拡大した図に相当する。図６は、図５中のＣ−Ｃ線断面図である。
【００３０】
これらの図に示すように、コネクタ１８は、配線１７の途中の部分を着脱可能に電気的に接続する。配線１７がコネクタ１８の位置で分離可能であることで、貯湯式給湯機１の製造組立が容易になる。配線１７は、第一配線１７ａ及び第二配線１７ｂを備える。第一配線１７ａは、サーミスタ１６とコネクタ１８との間をつなぐ。第二配線１７ｂは、制御基板６とコネクタ１８との間をつなぐ。鉛直方向の位置に関して、サーミスタ１６は、コネクタ１８の位置より高い位置にある。
【００３１】
第一配線１７ａ、第二配線１７ｂ、及びコネクタ１８を備えた配線部は、少なくとも部分的に、断熱材３に固定されている。電気絶縁性を有する断熱材３に配線部を固定することで、配線１７あるいはコネクタ１８の金属部分を覆う絶縁体が劣化または破損した場合であっても、漏電の発生を確実に抑制できる。
【００３２】
第二配線１７ｂは、下降部１７ｃを備える。下降部１７ｃは、コネクタ１８から低位置１７ｄへ向かって延びる。低位置１７ｄは、鉛直方向についての位置がコネクタ１８より低い位置である。下降部１７ｃは、コネクタ１８側から低位置１７ｄへ向かって下降する。下降部１７ｃの途中に、水平方向に延びる短い部分があってもよい。
【００３３】
万一の漏水の際に、水が第二配線１７ｂを伝ったとしても、低位置１７ｄからコネクタ１８へ向かって水が伝うことはない。下降部１７ｃに水が付着したとしても、その水は、コネクタ１８側から低位置１７ｄへ向かう方向に流れる。本実施の形態であれば、下降部７ｃを備えたことで、第二配線１７ｂを伝った水がコネクタ１８にかかることを確実に防止できる。
【００３４】
コネクタ１８は、断熱材３の内部に配置されている。第二配線１７ｂは、断熱材３の内部に配置された部分と、断熱材３の外部に配置された部分とを備える。
【００３５】
サーミスタ１６は、貯湯タンク２の表面と断熱材３の内面との間に配置されている。第一配線１７ａは、貯湯タンク２の表面と断熱材３の内面との間に配置された部分と、断熱材３の内部に配置された部分とを備える。サーミスタ１６及び第一配線１７ａは、断熱材３の内側または内部にあるので、万一の漏水の際にも、水がかかる可能性は極めて小さい。このため、第一配線１７ａには、下降部を設ける必要はない。
【００３６】
上記の構成に限らず、本発明では、第一配線が下降部を備え、第二配線が下降部を持たないようにしてもよい。第一配線及び第二配線のうち、万一の漏水の際に水がかかる可能性がある方に下降部を備えればよい。
【００３７】
実施の形態２．
次に、図７から図１０を参照して、実施の形態３について説明するが、上述した実施の形態１との相違点を中心に説明し、同一部分または相当部分については説明を簡略化または省略する。
【００３８】
図７は、実施の形態２の貯湯式給湯機１を示す正面図である。図８は、実施の形態２の貯湯式給湯機１が備える配線部を示す図である。図８は、図７の一部を拡大した図に相当する。図９は、図８中のＤ−Ｄ線断面図である。図１０は、図８中のＥ−Ｅ線断面図である。
【００３９】
これらの図に示すように、実施の形態２の貯湯式給湯機１が備える断熱材３は、コネクタ保持部１４及び配線保持部１９を有する。コネクタ保持部１４は、コネクタ８を少なくとも部分的に収納する凹部を備える。コネクタ保持部１４によれば、実施の形態１のコネクタ保持部１１と同様の効果が得られる。
【００４０】
図９に示すように、コネクタ保持部１４の凹部は、断熱材３の表面の位置よりもコネクタ８の表面の位置が奥になるような深さを有することが望ましい。図面上では、コネクタ保持部１４の凹部内でコネクタ８が動きうる遊びがあるが、コネクタ保持部１４の凹部に対してコネクタ８が遊び無く挿入してもよい。
【００４１】
配線保持部１９は、配線７を少なくとも部分的に収納する凹部を備える。本実施の形態であれば、配線保持部１９を備えたことで、以下の効果が得られる。配線７の位置をより確実に維持できる。貯湯式給湯機１の製造組立のときに配線７を適正な位置に容易に位置決めできる。配線７を断熱材３に固定するための粘着テープ等の部材を削減できる。配線保持部１９の凹部に配線７が収納されることで、万一の漏水の際に、配線７に水が降りかかることをより確実に抑制できる。
【００４２】
配線保持部１９の凹部は、細長い溝状の凹部である。本実施の形態では、配線保持部１９の凹部に、第一配線７ａの下降部７ｃと、低位置７ｄと、下降部７ｇの一部とが収納されている。また、配線保持部１９の凹部に、第二配線７ｂの下降部７ｅと、低位置７ｆと、下降部７ｈの一部とが収納されている。
【００４３】
図１０に示すように、配線保持部１９の凹部は、断熱材３の表面の位置よりも配線７の表面の位置が奥になるような深さを有することが望ましい。図面上では、配線保持部１９の凹部内で配線７が動きうる遊びがあるが、配線保持部１９の凹部に対して配線７が遊び無く挿入してもよい。
【００４４】
本実施の形態では、配線保持部１９を備えたことで、実施の形態１の配線保持部１２と同様の効果に加えて、さらに以下の効果が得られる。貯湯式給湯機１のメンテナンスにおいて、ケース９の内部の部品を交換する際に、部品が配線７に絡むことが少なくなり、作業性が向上する。
【００４５】
図１１は、実施の形態２の変形例を説明するための断面図である。図１１に示すように、コネクタ８を外側から覆う蓋体１５を断熱材３に取り付けてもよい。コネクタ保持部１４の凹部に対して蓋体１５を圧入することで蓋体１５を固定してもよい。粘着テープ等を用いて蓋体１５を固定してもよい。蓋体１５を備えた場合には、万一の漏水の際に、コネクタ８に水が降りかかることをさらに確実に抑制できる。実施の形態１の断熱材３が有するコネクタ保持部１１に固定されたコネクタ８を覆うように蓋体１５を配置した場合にも同様の効果を得ることができる。
【符号の説明】
【００４６】
１  貯湯式給湯機、  ２  貯湯タンク、  ３  断熱材、  ４  機能部品、  ５  配管、  ６  制御基板、  ６ａ  ソケット、  ７  配線、  ７ａ  第一配線、  ７ｂ  第二配線、  ７ｃ  下降部、  ７ｄ  低位置、  ７ｅ  下降部、  ７ｆ  低位置、  ７ｇ  下降部、  ７ｈ  下降部、  ８  コネクタ、  ９  ケース、  １０  脚、  １１  コネクタ保持部、  １２  配線保持部、  １３  庇部、  １４  コネクタ保持部、  １５  蓋体、  １６  サーミスタ、  １７  配線、  １７ａ  第一配線、  １７ｂ  第二配線、  １７ｃ  下降部、  １７ｄ  低位置、  １８  コネクタ、  １９  配線保持部、  ９０  水平面、  ９１，９２，９３，９４  位置
【図１】
0006638532.tif 000002
【図２】
0006638532.tif 000003
【図３】
0006638532.tif 000004
【図４】
0006638532.tif 000005
【図５】
0006638532.tif 000006
【図６】
0006638532.tif 000007
【図７】
0006638532.tif 000008
【図８】
0006638532.tif 000009
【図９】
0006638532.tif 000010
【図１０】
0006638532.tif 000011
【図１１】
0006638532.tif 000012